(57)【要約】      （修正有）【課題】多連タップを壁等に取り付ける際に用いるコンセントバーであり、取り付け穴の間隔に規制のない所望する位置に取り付けられるコンセントバーを提供する。【解決手段】多連タップＡの上ケースＡｂと、下ケースを兼ねるコンセントバー本体１と、レール部２と、取付具３から成り、コンセントバー本体１は本体基部面１ａと、上方辺１ｂと下方辺１ｃと、上方辺１ｂにスライド溝用立辺２ａを立設し巾狭の開口部２ｂと幅広の溝部２ｃを形成し、複数個の取付具３は取付用立面３ａと取付用下面３ｂとの貫通部３ｃを形成し、取付用立面３ａの貫通部３ｃには取付用ネジ４を挿通させ、取付用下面３ｂの貫通部３ｃにはスライド用ナット５を螺合させてスライド用ネジ６を挿通させると共に、スライド用ナット５をレール部２の溝部２ｃにスライド自在に挿入すると共にスライド用ネジ６をレール部２の開口部３ｃに挿通させる。【選択図】図２
0003164568.tif 000002
【実用新案登録請求の範囲】
【請求項１】
一面にプラグの栓刃を挿通させる栓刃受け部を複数備えた多連タップの上ケースと、該上ケースを合体させる下ケースを兼ねるコンセントバー本体と、該コンセントバー本体の長手方向に沿って一体に形成されたレール部と、該レール部に摺動自在に取着される複数個の取付具から成り、前記コンセントバー本体は帯板状の本体基部面と、該本体基部面の長手方向の上下端辺を夫々直角方向に膨出して上方辺と下方辺とを対峙させて形成し、前記レール部は前記上方辺の外側面の長手方向に沿って逆Ｌ字状の一対のスライド溝用立辺を対峙させて立設し巾狭の開口部と幅広の溝部を形成すると共に、前記複数個の取付具は側面Ｌ字状に取付用立面と取付用下面と設け、前記取付用立面と前記取付用下面との夫々の略中心に貫通部を形成し、前記取付用立面の貫通部には取付用ネジを挿通させ、前記取付用下面の貫通部には先端にスライド用ナットを螺合させてスライド用ネジを挿通させると共に、該スライド用ナットを前記レール部の幅広の溝部にスライド自在に挿入すると共に前記スライド用ネジを前記レール部の巾狭の開口部に挿通させることを特徴とするコンセントバー。
【請求項２】
前記下方辺の外側面の長手方向に沿って逆Ｌ字状の一対のスライド溝用立辺を対峙させて立設し巾狭の開口部と幅広の溝部を形成したことを特徴とする請求項１に記載のコンセントバー。
【考案の詳細な説明】
【技術分野】
【０００１】
本考案は、コンセントバーに関するものであり、更に詳細には、多連タップを壁等に取り付ける際に用いるコンセントバーであり、取り付け穴の間隔に規制のない所望する位置に取り付けられるコンセントバーに関するものである。
【背景技術】
【０００２】
従来、多連タップを取り付けるためのコンセントバーは、コンセントバー本体に取り付け穴が設けられていたが、近年では用途先も多様化し多数の電源を必要とする照明やＯＡ機器等により、ショーウィンドーやラックの内側や、天井等の高所等にも取り付けることがあり、取り付ける位置が制限されることが屡々発生している。
【０００３】
例えば、先に本出願人が開示したコンセントバーは、基材背面２ａと基材両側面２ｂとを備えた取付用基材２と、基材両側面２ｂの先端辺を鋭角に折曲させた係止辺２ｃと、基材背面２ａに合着させる装着用部材３の装着用背面３ａと、装着用背面３ａに延設した装着用両側面３ｂと、装着用両側面３ｂに延設した係止用凹溝部３ｃと、係止用凹溝部３ｃに延設した鍔部挿通用凹溝３ｄと、装着用背面３ａと係止用凹溝部３ｃとの内側に開口させた電極板挿通部３ｅと、電極板挿通部３ｅに挿入する電極板４とを備え、装着用部材３の電極板挿通部３ｅの長手方向の端部から電極板４を挿通させ、取付用基材２の長手方向の端部から装着用部材３を挿通させて組み立てたもの（特許文献１参照）や、電源供給コンセント１の後端開口部両外側面に設けた嵌合溝を、中間コンセントの先端開口縁両内側面に設けた嵌合突起に嵌合係止させて電源供給コンセント１と中間コンセント２０を接続し、中間コンセント２０の後端開口部両外側面に設けた嵌合溝を、終端コンセント４０の先端開口縁両内側面に設けた嵌合突起に嵌合係止させて中間コンセント２０と終端コンセント４０を着脱自在に接続し、各接続部に形成される溝口４，２２，４２に接続金具６０を嵌合螺子止めし、各コンセント１，２０，４０相互を完全接続するもの（特許文献２参照）や、一対の係止片部を有する機器取付け用のレールに接した状態で電子機器本体を回転して、この電子機器本体に設けられる一対の係合手段それぞれにレールの一対の係止片部を係合させて取付けるレール取付け型電子機器に改良を加えたものである。本電子機器は、水平方向における電子機器本体の重心と異なる位置に回転中心を有するもの（特許文献３参照）等が開示されている。
【特許文献１】特開２００８−１７１６５１号公報
【特許文献２】特開２００６−３３２０１３号公報
【特許文献３】特開２００５−０４５０８７号公報
【考案の開示】
【考案が解決しようとする課題】
【０００４】
然し乍ら、前述の開示されている特許文献１に記載のものは、本出願人が先に開示したもので、取付用基材２に電極板４を挿通させたコンセントバー１であり、開示していないが、その壁等への取り付けは取付用基材２に貫通孔を穿設してビス止めするものであり、取り付け穴の間隔は一定のものであり、特許文献２に記載のものは、電源供給コンセント１と中間コンセント２０と終端コンセント４０を着脱自在に接続し接続金具６０を嵌合螺子止めするもので、目的に合わせてコンセントの接続個数を任意に増減し得るものであるが、その取り付け穴の間隔は規制されているものであり、特許文献３に記載のものも、機器取付け用のレールを設けて取付けるレール取付け型電子機器に改良を加えたもので、壁等に取り付ける穴の間隔は規制されているものであり、取り付ける穴の間隔が規制されていると、コンセントバーの取り付け用ネジが効かない空所や柔軟部材や、堅い金属やコンクリート部分には取り付けできないものである。
【課題を解決するための手段】
【０００５】
本考案は前記課題に鑑み、鋭意研鑽の結果、これらの課題を解決するもので、栓刃受け部を複数備えた多連タップの上ケースと、上ケースを合体させる下ケースを兼ねるコンセントバー本体と、コンセントバー本体に一体に形成されたレール部と、レール部に摺動自在に取着される複数個の取付具から成り、コンセントバー本体は本体基部面と、本体基部面の上下端辺を直角方向に膨出して上方辺と下方辺とを対峙させて形成し、レール部は上方辺に逆Ｌ字状の一対のスライド溝用立辺を対峙させて立設し巾狭の開口部と幅広の溝部を形成すると共に、複数個の取付具は側面Ｌ字状に取付用立面と取付用下面と設け、取付用立面と取付用下面とに貫通部を形成し、取付用立面の貫通部には取付用ネジを挿通させ、取付用下面の貫通部にはスライド用ナットを螺合させてスライド用ネジを挿通させると共に、スライド用ナットを幅広の溝部にスライド自在に挿入すると共にスライド用ネジを巾狭の開口部に挿通させものであり、更に、下方辺に逆Ｌ字状の一対のスライド溝用立辺を対峙させて立設し巾狭の開口部と幅広の溝部を形成したものである。
【考案の効果】
【０００６】
本考案のコンセントバーは、多連タップを配設するコンセントバー本体と、レール部と、複数個の取付具から成り、レール部の一対の逆Ｌ字状のスライド溝用立辺を対峙させて形成した巾狭の開口部にスライド用ネジ部を挿通させ、先端にスライド用ナットを螺合させ、スライド用ナットを幅広の溝部に摺動自在に収容し、取付用ネジを取付立辺に貫通させた貫通部に挿通させて壁等の任意の取り付け位置にスライドさせて位置決めして取り付けるものであり、取り付け位置を自在に設定できるもので、画期的で実用性の高い有効な考案である。
【考案を実施するための最良の形態】
【０００７】
以下、本考案のコンセントバーの実施の形態を図面によって具体的に説明すると、図１は本考案のコンセントバーの実施例の正面図であり、図２は本考案のコンセントバーの実施例の内部機構を省略した要部断面説明図である。
【０００８】
本考案は、コンセントバーに関するものであり、更に詳細には、多連タップを壁等に取り付ける際に用いるコンセントバーであり、取り付け穴の間隔に規制のない所望する位置に取り付けられるコンセントバーに関するものであり、請求項１に記載のコンセントバーは、一面にプラグの栓刃を挿通させる栓刃受け部Ａａを複数備えた多連タップＡの上ケースＡｂと、該上ケースＡｂを合体させる下ケースを兼ねるコンセントバー本体１と、該コンセントバー本体１の長手方向に沿って一体に形成されたレール部２と、該レール部２に摺動自在に取着される複数個の取付具３から成り、前記コンセントバー本体１は帯板状の本体基部面１ａと、該本体基部面１ａの長手方向の上下端辺を夫々直角方向に膨出して上方辺１ｂと下方辺１ｃとを対峙させて形成し、前記レール部２は前記上方辺１ｂの外側面の長手方向に沿って逆Ｌ字状の一対のスライド溝用立辺２ａを対峙させて立設し巾狭の開口部２ｂと幅広の溝部２ｃを形成すると共に、前記複数個の取付具３は側面Ｌ字状に取付用立面３ａと取付用下面３ｂと設け、前記取付用立面３ａと前記取付用下面３ｂとの夫々の略中心に貫通部３ｃを形成し、前記取付用立面３ａの貫通部３ｃには取付用ネジ４を挿通させ、前記取付用下面３ｂの貫通部３ｃには先端にスライド用ナット５を螺合させてスライド用ネジ６を挿通させると共に、該スライド用ナット５を前記レール部２の幅広の溝部２ｃにスライド自在に挿入すると共に前記スライド用ネジ６を前記レール部２の巾狭の開口部３ｃに挿通させることを特徴とするものである。
【０００９】
更に、請求項２に記載のコンセントバーは、請求項１に記載のコンセントバーにおいて、前記下方辺１ｃの外側面の長手方向に沿って逆Ｌ字状の一対のスライド溝用立辺２ａを対峙させて立設し巾狭の開口部２ｂと幅広の溝部２ｃを形成したことを特徴とするものである。
【実施例】
【００１０】
即ち、周知のように多連タップＡは、一端から電源に接続するコードを延設し、一面にプラグの栓刃を挿通させる栓刃受け部Ａａを複数備えている細長立方体形もので、図１に図示するものは６連の多連タップＡ２組配設されたもので、コンセントバーはその多連タップＡを複数配設するものである。
【００１１】
そして、本考案のコンセントバーは、コンセントバー本体１と、長手方向に沿って一体に形成されたレール部２と、レール部２に摺動自在に取着される複数個の取付具３と、取付用ネジ４と、スライド用ナット５と、スライド用ネジ６とから成るものである。
【００１２】
また、コンセントバー本体１は、上ケースＡｂと下ケースとを合体させプラグの栓刃を挿通させる受け刃金具を内装する多連タップＡの下ケースを兼ねるもので、コンセントバー本体１の適宜位置に孔を穿設して、該孔に裏面からボルト１ｄを挿通して上ケースＡｂを螺着して上ケースＡｂと下ケースとを合体させているものである。
【００１３】
次に、本体基部面１ａは帯板状のものであり、裏面は取り付ける壁等に当接すると共に、表面には多連タップＡわ配設されるもので、合成樹脂又は金属で後述する上方辺１ｂと下方辺１ｃとスライド溝用立辺２ａと共に一体に形成されているものである。
【００１４】
次いで、上方辺１ｂと下方辺１ｃとは、本体基部面１ａの長手方向の上下端辺に相対して直角方向にフランジ状に膨出させたものであり、本体基部面１ａと上方辺１ｂと下方辺１ｃとで縦断面略コ字状としているものである。
【００１５】
更には、レール部２は、上方辺１ｂの外側面に逆Ｌ字状の一対のスライド溝用立辺２ａを間隔をあけて対峙させ立設するものであり、間隔の頂部は開口しており巾狭の開口部２ｂと成り、開口部２ｂの内側のスペースはスライド用の溝部２ｃと成るものである。
【００１６】
そして、複数個の取付具３は、取付用立面３ａと取付用下面３ｂと側面Ｌ字状に接続させおり、後述する取付用ネジ４とスライド用ネジ６とスライド用ナット５とから成るものである。
【００１７】
次に、夫々の貫通部３ｃは、取付用立面３ａと取付用下面３ｂとの夫々の略中心を貫通させているもので、円孔でも側方からＵ字状に切り欠いた貫通部３ｃでも構わないものである。
【００１８】
次いで、取付用ネジ４は、取付用立面３ａの貫通部３ｃに挿通させるもので、先端を壁等にねじ込むことによりコンセントバーを取り付けるものであるが、先端にナットを螺合して締結するタイプのネジを用いて取り付けても良いものである。
【００１９】
更に、スライド用ネジ６は、先端にスライド用ナット５を螺合させると共に、取付用下面３ｂの貫通部３ｃに挿通させるもので、スライド用ナット５をレール部２の幅広の溝部２ｃにスライド自在に挿入すると共にスライド用ネジ６をレール部２の巾狭の開口部２ｂに挿通させるもので、汎用のネジとナットで構わないものである。
【００２０】
つまり、スライド用ナット５をレール部２の溝部２ｃに端部から挿入させると共に、取付具３の取付用下面３ｂの貫通部３ｃとレール部２の開口部２ｂとにスライド用ネジ６を挿通させ、スライド用ネジ６の先端にスライド用ナット５を螺合させて取付具３を任意の位置にスライドさせて位置決めして、スライド用ネジ６とスライド用ナット５とをしっかりと螺着するものである。
【００２１】
そして、取付用ネジ４で所望の位置にコンセントバーを固定するものであり、特に、ショーウィンドーのような限られたスペースで多数の電源を必要とする時、好適に使用できるものである。
【００２２】
また、本体１の下方辺１ｃの外側面にも、逆Ｌ字状の一対のスライド溝用立辺２ａを間隔をあけて対峙させ立設するもので、間隔の頂部は開口しており巾狭の開口部２ｂと成り、内部は略コ字状の摺動用の溝部２ｃとしたレール部２を形成するもので、複数の取付具３と共に用いることによりコンセントバーの下方で取り付けることも可能とするものである。
【産業上の利用可能性】
【００２３】
本考案のコンセントバーは、多連タップを配設するコンセントバー本体と、レール部と、複数個の取付具から成り、レール部の逆Ｌ字状のスライド溝用立辺２ａを対峙させ巾狭の開口部にスライド用ネジを挿通させ、先端にスライド用ナットを螺合させ、スライド用ナットをスライド溝用立辺の間に摺動自在に収容し、取付用ネジを取付立辺に穿設させた取付具孔に挿通させて壁等の任意の取り付け位置にスライドさせて位置決めして取り付けるものであり、取り付け位置を自在に設定できるコンセントバーを提供するものである。
【図面の簡単な説明】
【００２４】
【図１】図１は本考案のコンセントバーの実施例の正面図である。
【図２】図２は本考案のコンセントバーの実施例の内部機構を省略した要部断面説明図である。
【符号の説明】
【００２５】
Ａ      多連タップ
Ａａ    栓刃受け部
Ａｂ    取付用溝
１      コンセントバー本体
１ａ    本体基部面
１ｂ    上方辺
１ｃ    下方辺
１ｄ    ボルト
２      レール部
２ａ    スライド溝用立辺
２ｂ    開口部
２ｃ    溝部
３      取付具
３ａ    取付用立面
３ｂ    取付用下面
３ｃ    貫通部
４      取付用ネジ
５      スライド用ナット
６      スライド用ネジ
【図１】
0003164568.tif 000003
【図２】
0003164568.tif 000004